(57)【特許請求の範囲】
【請求項１】
巻心に巻き回された粘着テープの両側面の一部を挟み込んで幅方向の移動を規制しつつ、該粘着テープの基材面が巻き掛けられてその自由端を繰り出す第１ガイドローラと、
前記第１ガイドローラにより繰り出された粘着テープの基材面が巻き掛けられる第２ガイドローラと、
前記第１ガイドローラと第２ガイドローラとの間に張り渡される粘着テープの一端部又は両端部が張り出すように、該粘着テープの粘着面が巻き掛けられ、その張出部分を粘着面方向に折り曲げる折曲ローラと、
前記折曲ローラにより折り曲げられた粘着テープの張出部分と接触し、該張出部分を粘着面方向にさらに折り曲げて、粘着面同士が貼り合わされた折返部を形成する折返ガイドと、
を含んで構成され、
前記折曲ローラは、前記粘着テープの張出部分を粘着面方向に折り曲げる閉位置と、前記第１ガイドローラと第２ガイドローラとの間に張り渡される粘着テープの粘着面から離間した開位置と、に変位可能であると共に、
前記折返ガイドには、前記折曲ローラが開位置から閉位置へ変位するときの力を利用して、該折曲ローラに巻き掛けられた粘着テープの一端部又は両端部を折り曲げつつ折返ガイドへと導く導入部が一体形成されたこと
を特徴とする粘着テープの折返部形成装置。
【請求項２】
前記第１ガイドローラを挟んだ第２ガイドローラと反対側には、粘着テープディスペンサーの溝部に嵌合可能な軸部材がさらに備えられたことを特徴とする請求項１記載の粘着テープの折返部形成装置。
【請求項３】
前記軸部材は、その軸方向に相対変位可能な２つの分割部材と、一方の分割部材を他方の分割部材から離れる方向に付勢する弾性部材と、を含んで構成されたことを特徴とする請求項２記載の粘着テープの折返部形成装置。
【請求項４】
前記一方の分割部材の先端部には、略円板形状をなす円板部材が固定されたことを特徴とする請求項３記載の粘着テープの折返部形成装置。
【請求項５】
前記粘着テープを所定位置に保持する保持機構がさらに備えられたことを特徴とする請求項１〜請求項４のいずれか１つに記載の粘着テープの折返部形成装置。
【請求項６】
前記折返ガイドにより形成された折返部の粘着面同士を押し付ける押付機構がさらに備えられたことを特徴とする請求項１〜請求項５のいずれか１つに記載の粘着テープの折返部形成装置。
【請求項７】
前記押付機構は、中間部の横断面が円弧形状をなしつつ第２ガイドローラに回動可能に嵌合される押付部材からなり、前記粘着テープの折返部が円弧形状の端部に接触する接触位置と、該折返部が円弧形状に接触しない非接触位置と、の２位置に切換可能であることを特徴とする請求項６記載の粘着テープの折返部形成装置。
【請求項８】
前記第１ガイドローラ，第２ガイドローラ及び折曲ローラは、夫々、回転自由に固定されたことを特徴とする請求項１〜請求項７のいずれか１つに記載の粘着テープの折返部形成装置。
【請求項９】
前記折曲ローラには、前記粘着テープの接着面との接触面積を小さくする隆起部がその周方向に複数形成されたことを特徴とする請求項１〜請求項８のいずれか１つに記載の粘着テープの折返部形成装置。
【発明の詳細な説明】
【技術分野】
【０００１】
本発明は、被接着物からの粘着テープの剥離を容易にする技術に関する。
【背景技術】
【０００２】
花束の外装に使用されるセロファン，窓ガラスやショーケースなどのガラス面，ダンボールその他の被接着物に貼り付けられた粘着テープは、被接着物に密着しているため、その端を見つけることが非常に困難であり、剥離し難いという問題があった。このため、本出願人は、特許第３５４９５１２号公報（特許文献１）に記載されるように、簡単かつコンパクトな機構により粘着テープの幅方向の少なくとも一端部を折り返すことで、被接着物からの剥離を容易にした粘着テープの折返部形成装置を提案した。そのテープ折返機構は、２つのガイドローラ間に張り渡される粘着テープの少なくとも一端部が張り出すように、粘着テープの接着面が巻き掛けられ、その張出部分を粘着面方向に折り曲げる折曲ローラと、これにより折り曲げられた粘着テープの張出部分と接触し、張出部分を粘着面方向にさらに折り曲げて、粘着面同士が貼り合わされた折返部を形成する折返ガイドと、を含んで構成される。
【特許文献１】特許第３５４９５１２号公報
【発明の開示】
【発明が解決しようとする課題】
【０００３】
しかしながら、従来提案の折返部形成装置では、テープ折返機構へ粘着テープを装着するときに、近接配置される２つのガイドローラ及び折曲ローラに粘着テープを適宜巻き掛けなければならず、その装着に手間がかかって煩わしいものであった。このため、粘着テープを大量に使用する作業においては、粘着テープの交換に手間がかかり、作業効率が多少低下してしまうおそれがあった。
【０００４】
そこで、本発明は以上のような従来の問題点に鑑み、テープ折返機構にワンタッチで粘着テープを装着できるようにし、その交換を容易にした粘着テープの折返部形成装置を提供することを目的とする。
【課題を解決するための手段】
【０００５】
このため、本発明では、巻心に巻き回された粘着テープの両側面の一部を挟み込んで幅方向の移動を規制しつつ、該粘着テープの基材面が巻き掛けられてその自由端を繰り出す第１ガイドローラと、前記第１ガイドローラにより繰り出された粘着テープの基材面が巻き掛けられる第２ガイドローラと、前記第１ガイドローラと第２ガイドローラとの間に張り渡される粘着テープの一端部又は両端部が張り出すように、該粘着テープの粘着面が巻き掛けられ、その張出部分を粘着面方向に折り曲げる折曲ローラと、前記折曲ローラにより折り曲げられた粘着テープの張出部分と接触し、該張出部分を粘着面方向にさらに折り曲げて、粘着面同士が貼り合わされた折返部を形成する折返ガイドと、を含んで構成された粘着テープの折返部形成装置において、前記折曲ローラは、前記粘着テープの張出部分を粘着面方向に折り曲げる閉位置と、前記第１ガイドローラと第２ガイドローラとの間に張り渡される粘着テープの粘着面から離間した開位置と、に変位可能であると共に、前記折返ガイドには、前記折曲ローラが開位置から閉位置へ変位するときの力を利用して、該折曲ローラに巻き掛けられた粘着テープの一端部又は両端部を折り曲げつつ折返ガイドへと導く導入部が一体形成されたことを特徴とする。
【発明の効果】
【０００６】
本発明によれば、巻心に巻き回された粘着テープは、その基材面が第１ガイドローラに巻き掛けられつつその自由端が繰り出され、第２ガイドローラへと導かれる。第１ガイドローラと第２ガイドローラとの間に張り渡された粘着テープは、その少なくとも一端部が張り出すように粘着面が折曲ローラに巻き掛けられ、張出部分が粘着面方向に折り曲げられる。折り曲げられた粘着テープの張出部分は、その自由端の繰り出しに伴って、折返ガイドと接触して粘着面方向にさらに折り曲げられ、粘着面同士が貼り合わされた折返部が形成される。このため、粘着テープの自由端を繰り出す力を利用して折返部が形成されるので、動力源が不要な堅牢かつコンパクトな折返部形成装置とすることができる。また、第１ガイドローラにより粘着テープの幅方向の移動が規制されるため、折返部の幅を略一定とすることができる。
【０００７】
そして、折返部形成装置へ粘着テープを装着するとき、折曲ローラを閉位置から開位置へ変位させることで、第１ガイドローラと第２ガイドローラとの間に張り渡される粘着テープの粘着面から折曲ローラが離間するので、第１ガイドローラ，第２ガイドローラ及び折曲ローラに粘着テープを巻き掛ける作業が容易になる。一方、折曲ローラを開位置から閉位置へ変位するときの力を利用して、折返ガイドに一体形成された導入部により、折曲ローラに巻き掛けられた粘着テープが折り曲げられつつ折返ガイドへと導かれる。このため、折返部形成装置への粘着テープの装着及び交換を容易に行うことができる。
【発明を実施するための最良の形態】
【０００８】
以下、添付された図面を参照して本発明を詳述する。
図１は、粘着テープの折返部形成方法の基本原理を示す。
２つのガイドローラＡ，Ｂ間に配設された折曲ローラＣに、その端部から所定寸法張り出すように、巻心に巻き回された粘着テープＤの粘着面が巻き掛けられる。この状態で、粘着テープＤの自由端を繰り出し、２つのガイドローラＡ，Ｂにより粘着テープＤに張力を作用させると、粘着テープＤが折曲ローラＣ方向に押し付けられる。すると、折曲ローラＣから張り出した粘着テープＤの張出部分は、折曲ローラＣの角部により粘着面方向に折り曲げられる。そして、粘着テープＤの自由端を繰り出す力を利用して、折り曲げられた粘着テープＤの張出部分と接触する折返ガイドＥにより、粘着テープＤをさらに折り曲げるようにすれば、粘着面同士が貼り合わされ、同図（Ｂ）に示すように、その幅方向の端部に接着に寄与しない折返部Ｆが形成される。この場合、被接着物から粘着テープＤを剥離するときには、折返部Ｆによりその端が容易に見つかるので、粘着テープＤを容易に剥離することができる。
【０００９】
次に、かかる基本原理を具現化し、粘着テープの幅方向の少なくとも一端部に折返部を形成する粘着テープの折返部形成装置（以下「折返部形成装置」という）の基本構成について説明する。
図２に示すように、略Ｌ字形状の薄板からなる基体部材１０には、その板厚方向に延びる軸部材１２，第１ガイドローラ１４及び第２ガイドローラ１６が夫々固定される。軸部材１２は、粘着テープディスペンサーの溝部に嵌合可能な円柱形状をなし、その基端部が基体部材１０の裏面（図示しない面）から所定寸法突出するように貫通固定される。第１ガイドローラ１４は、巻心に巻き回された粘着テープ１８の外周側の両側面の一部を挟み込んで幅方向の移動を規制すべく、中間部に小径部が形成された段付円柱形状をなし、軸部材１２から所定寸法（粘着テープ１８の半径以下）離れた位置に固定される。第２ガイドローラ１６は、横断面が均一の円柱形状をなし、第１ガイドローラ１４を挟んで軸部材１２と反対側に固定される。
【００１０】
また、第１ガイドローラ１４と第２ガイドローラ１６との間には、基体部材１０の板厚方向に延びる折曲ローラ２０が固定される。即ち、基体部材１０の裏面には、軸部材１２の近傍を回動中心２２として、図３に示す位置まで開閉する薄板からなる回動部材２４が回動自由に固定される。そして、回動部材２４の先端部に、棒部材２０Ａを介して円筒部材２０Ｂが固定されることで、折曲ローラ２０が構成される。ここで、基体部材１０には、回動部材２４の開閉時に折曲ローラ２０の棒部材２０Ａとの干渉を避けるべく、回動中心２２を中心とした円弧に沿って延びる切欠部１０Ａが形成される。なお、折曲ローラ２０の円筒部材２０Ｂは、ここに粘着テープ１８の粘着面が巻き掛けられたときに、その両端部から折返部の幅に相当する長さだけ粘着テープ１８が張り出すように、その全長及び棒部材２０Ａに対する固定位置が決定される。
【００１１】
回動部材２４を閉じた位置、即ち、後述するように粘着テープ１８の張出部分を粘着面方向に折り曲げる閉位置に保持する機構として、図４に示すように、基体部材１０の裏面には、軸部材１２と第１ガイドローラ１４とを結んだ線分に沿ってスライドするスライド部材２６が配設される。スライド部材２６は、薄板からなる略矩形形状をなし、基体部材１０からはみ出る位置に、スライドさせるための操作ノブ２６Ａが突出形成される。回動部材２４の先端部及びスライド部材２６の長手方向の一端部には、回動部材２４の閉位置で相互に係合する係合爪２４Ａ及び２６Ｂが夫々形成される。また、スライド部材２６は、回動部材２４との係合保持を確実ならしめるべく、スプリングなどの弾性部材２８により回動部材２４方向に常時付勢される。なお、回動部材２４及びスライド部材２６の係合爪２４Ａ及び２６Ｂの少なくとも一方には、回動部材２４が閉位置に回動するときの力を利用して、弾性部材２８の付勢力に抗してスライド部材２６を回動部材２４から離れる方向にスライドさせるための傾斜面２４Ｂ及び２６Ｃを形成することが望ましい。
【００１２】
一方、回動部材２４を開いた位置、即ち、第１ガイドローラ１４と第２ガイドローラ１６との間に張り渡される粘着テープ１８の粘着面から離間した開位置に保持する機構として、図５（Ａ）に示すように、基体部材１０の裏面には、軸部材１２の基端部に中間部が巻き回されつつ、一端部が基体部材１０に固定されると共に、他端部が回動部材２４の先端部に固定される線状のばね３０が配設される。ばね３０の他端部は、同図（Ｂ）に示すように、回動部材２４の長手方向に沿って延びる長穴２４Ｃに対して移動可能に固定される。そして、回動部材２４を閉位置から開位置に開いたときに、ばね３０の他端部が長穴２４Ｃの端面に当たって突っ張ることで、その開位置を規定しつつショックを低減することができる。
【００１３】
さらに、第２ガイドローラ１６には、折曲ローラ２０により折り曲げられた粘着テープ１８の張出部分と接触し、粘着テープ１８を粘着面方向にさらに折り曲げて、粘着面同士を貼り合せた折返部を形成する折返ガイド３２が固定される。折返ガイド３２は、図６に示すように、回動部材２４が開く方向に向かって開口する略コ字形状の薄板からなるガイド部３２Ａと、第２ガイドローラ１６の軸方向の両端部を挟み込んで固定するための一対の固定部３２Ｂと、粘着テープ１８を装着するとき幅方向の両端部を折り曲げつつガイド部３２Ａへと導く一対の導入部３２Ｃと、が一体形成されたものである。ガイド部３２Ａには、粘着テープ１８の張出部分と接触すべく、開口部から奥部に向かって部材間隔が徐々に拡がる傾斜面が形成される。また、一対の導入部３２Ｃは、ガイド部３２Ａの開口部側端部から回動部材２４の開位置方向に向かって連接され、その開口部から離れるにつれて徐々に部材間隔が拡がる傾斜面を有する略三角形状をなしている。
【００１４】
その他、粘着テープ１８を所定位置に保持する保持機構として、基体部材１０には、図７に示すように、粘着テープ１８の内周側の両側面の一部を挟み込んで幅方向の移動を規制する段付円柱形状の保持ローラ３４と、粘着テープ１８を第１ガイドローラ１４及び保持ローラ３４の方向（図中の矢印方向）に付勢する線状のばね３６と、が夫々配設される。ばね３６は、具体的には、基体部材１０の表面において軸部材１２の基端部に形成された周溝に嵌合固定される。
【００１５】
なお、第１ガイドローラ１４，第２ガイドローラ１６，折曲ローラ２０及び保持ローラ３４は、夫々、基体部材１０又は回動部材２４に対して回転自由に固定されることが望ましい。このようにすれば、粘着テープ１８の繰り出しにおける接触抵抗が低減し、粘着テープ１８を少ない力で繰り出すことができるようになる。また、折曲ローラ２０の円筒部材２０Ｂの外周面には、粘着テープ１８との接触面積を小さくして接着力を低下させ、その繰り出しに要する力をさらに小さくすべく、周方向に延びる隆起部を複数形成するようにしてもよい。
【００１６】
折返部形成装置に粘着テープ１８を装着するには、スライド部材２６の操作ノブ２６Ａを指先で押し、弾性部材２８の付勢力に抗してスライド部材２６をスライドさせる。すると、回動部材２４及びスライド部材２６の係合が解除され、ばね３０の付勢力により、図３に示すように、回動部材２４が閉位置から開位置へと自動的に回動して開く。このとき、回動部材２４が開位置まで回動すると、ばね３０の先端部が回動部材２４の長穴２４Ｃの端面に当たって突っ張ることで、その開位置を規定しつつショックを低減することができる。この状態において、軸部材１２及び保持ローラ３４と第１ガイドローラ１４との間に粘着テープ１８の一部を位置させつつ、ばね３６を変形させてその先端部を粘着テープ１８の内周面に引っ掛け、粘着テープ１８を所定位置に保持させる。
【００１７】
次に、粘着テープ１８の自由端を繰り出し、図３に示すように、その基材面を第１ガイドローラ１４に巻き掛けつつ、第２ガイドローラ１６より外部まで導く。そして、ばね３０の付勢力に抗して、図８に示すように、回動部材２４の先端部を指先で閉位置方向に押して閉じる。このとき、回動部材２４及びスライド部材２６の係合爪２４Ａ及び２６Ｂに形成された傾斜面２４Ｂ及び２６Ｃにより、スライド部材２６が弾性部材２８の付勢力に抗して自動的にスライドし、回動部材２４が閉位置まで回動したとき、弾性部材２８の付勢力によりスライド部材２６がスライドして係合爪２４Ａ及び２６Ｂ同士が係合する。また、回動部材２４を閉位置に回動させる力を利用し、折曲ローラ２０を介して粘着テープ１８が折返ガイド３２に向かって押し付けられる。このとき、折返ガイド３２の導入部３２Ｃにより、粘着テープ１８の両端部が折り曲げられつつガイド部３２Ａへと導かれる。その後、粘着テープ１８が装着された折返部形成装置を粘着テープディスペンサーに取り付けるべく、その軸部材１２を粘着テープディスペンサーの溝部に嵌合して固定する。
【００１８】
粘着テープ１８の折返部を形成するには、その自由端を折返部形成装置から離れる方向に繰り出すと、粘着テープ１８の引張力に応じた力でもって、その粘着面が折曲ローラ２０方向に押し付けられ、ここから張り出した粘着テープ１８の張出部分が粘着面方向に折り曲げられる。そして、自由端の繰り出しに伴って粘着テープ１８が移動すると、折り曲げられた張出部分が折返ガイド３２により粘着面方向にさらに折り曲げられ、粘着面同士が貼り合わされた折返部が連続的に形成される。このとき、第１ガイドローラ１４により粘着テープ１８の軸方向の移動が規制されているので、折返部の幅を略一定とすることができる。
【００１９】
従って、粘着テープ１８の折返部は、その自由端を繰り出す力を利用して、主として、折曲ローラ２０と折返ガイド３２とによって形成されるため、動力源が不要な堅牢かつコンパクトな折返部形成装置とすることができる。また、折返部形成装置へ粘着テープ１８を装着するとき、折曲ローラ２０が固定された回動部材２４が退避する一方、回動部材２４を閉位置に回動させる力を利用して粘着テープ１８が折返ガイド３２に自動的に導かれるため、その装着及び交換を容易に行うことができる。さらに、軸部材１２を介して折返部形成装置が粘着テープディスペンサーに取付可能であるため、粘着テープ１８の繰り出し及び切断が容易となり、その貼付作業に要する労力を軽減することもできる。その他、粘着テープ１８を所定位置に保持する保持機構が備えられているため、粘着テープディスペンサーに対して折返部形成装置を着脱するときに、粘着テープ１８が折返部形成装置から外れてしまうことを防止できる。
【００２０】
ところで、図９に示すように、粘着テープ１８が装着された折返部形成装置を粘着テープディスペンサー３８に取り付けたとき、何らかの要因で切断用カッタから粘着テープ１８が外れると、折返部形成装置が傾いてしまう。折返部形成装置が傾いてしまうと、粘着テープ１８の自由端が粘着テープディスペンサー３８の下部に垂れ下がってしまい、これを引き出すのが大変である。また、粘着テープディスペンサー３８の溝部の幅は、その製造メーカごとに異なっていることが多いため、粘着テープディスペンサー３８に応じて軸部材１２の全長を変える必要もある。
【００２１】
このため、図１０及び１１に示すように、軸部材１２を、その軸方向に相対変位可能な２つの分割部材と、一方の分割部材の先端部に固定された略円板形状をなす円板部材４０と、一方の分割部材を他方の分割部材から離れる方向に付勢するスプリングなどの弾性部材４２と、を含んで構成することが望ましい。ここで、円板部材４０の外面中央には、粘着テープディスペンサー３８の溝部に嵌合するための突起４０Ａが形成されている。このようにすれば、粘着テープディスペンサー３８の溝部の幅が異なっていても対応可能であると共に、弾性部材４２により円板部材４０が粘着テープディスペンサー３８に押し付けられるので、切断カッタから粘着テープ１８の自由端が外れても折返部形成装置が傾くことを防止できる。なお、粘着テープディスペンサー３８の溝部の幅の違いのみに対応する場合には、一方の分割部材の先端部に円板部材４０を取り付けなくてもよい。
【００２２】
また、折返部形成装置に粘着力の弱い粘着テープ１８を装着して折返部を形成したとき、図１２（Ａ）に示すように、粘着面の一部のみが貼り合わされていると、同図（Ｂ）に示すように、時間経過により剥がれて折返部がなくなってしまうおそれがある。このため、粘着テープ１８の粘着力が弱いときには、折返ガイド３２により形成された折返部の粘着面同士をさらに強く押し付け、その貼り合わせを確実ならしめることが望ましい。
【００２３】
そこで、第２ガイドローラ１６に、必要に応じて折返部の接着面同士を強く押し付ける押付機構を組み込むようにした。具体的には、図１３に示すように、第２ガイドローラ１６に対して、中間部の横断面が円弧形状をなしつつ第２ガイドローラ１６より短い全長を有する段付円筒形状の押付部材４４を回動可能かつスライド可能に嵌合し、これを基体部材１０の方向へ付勢すべく、押付部材４４から突出する第２ガイドローラ１６にコイルスプリングなどの弾性部材４６を配設する。また、基体部材１０側に位置する押付部材４４の一端部は、図１４（Ａ）に示す非接触位置（折返部が円弧形状に接触しない位置）と同図（Ｂ）に示す接触位置（折返部が円弧形状の端部に接触する位置）との２位置で折返ガイド３２のガイド部３２Ａと当接して位置決めを行うべく、その外周部の一部が切削されて２つの直線部分４４Ａ及び４４Ｂが形成される。なお、押付部材４４の一端部の半径寸法は、第２ガイドローラ１６の軸中心と折返ガイド３２との距離よりも大きくなっている。さらに、弾性部材４６の付勢力に抗して押付部材４４を最大限スライドさせた位置において、これと折返ガイド３２との当接状態を解除して回動可能とすべく、折返ガイド３２のガイド部３２Ａに、第２ガイドローラ１６の横断面と平行な矩形形状の逃げ穴３２Ｄが開設される。
【００２４】
このようにすれば、粘着力が弱い粘着テープ１８を使用するとき、図１５に示すような手順で、第２ガイドローラ１６に組み込まれた押付部材４４を非接触位置から接触位置まで回動させると、押付部材４４の中間部にある円弧形状の端部（角部）が粘着テープ１８と接触する。このため、粘着テープ１８と押付部材４４との接触面積が小さくなって面圧が上昇し、折返部の粘着面同士が強く押し付けられることから、その貼り合わせを確実ならしめることができる。なお、粘着力が強い粘着テープ１８を使用するときには、粘着テープ１８と押付部材４４との接触面積を大きくして自由端を繰り出すのに要する力を低減すべく、押付部材４４を接触位置から非接触位置まで回動させるようにすればよい。
【００２５】
ここで、粘着テープ１８の折返部の粘着面同士を重点的に押し付けるべく、粘着テープ１８と接触する押付部材４４の円弧形状の端部を、図１６に示すように、その中央部が粘着テープ１８から離れる各種形状にすることが望ましい。このようにすれば、粘着テープ１８の折返部の粘着面同士を押し付ける面圧がさらに上昇し、その貼り合せを一層確実ならしめることができる。
【００２６】
以上説明した折返部形成装置においては、粘着テープ１８の幅方向の両端部に折返部を形成したが、その一端部のみに折返部を形成するようにしてもよい。
【図面の簡単な説明】
【００２７】
【図１】粘着テープの折返部形成方法を示し、（Ａ）は折曲ローラの作用の説明図、（Ｂ）は折返ガイドの作用の説明図
【図２】折返部形成装置の基本構成を示す斜視図
【図３】折返部形成装置の回動部材を開いた状態を示す斜視図
【図４】回動部材を閉位置に保持する機構の説明図
【図５】回動部材を開位置に保持する機構を示し、（Ａ）はその説明図、（Ｂ）は開位置を規定する仕組みの説明図
【図６】折返ガイドの詳細を示す斜視図
【図７】粘着テープを所定位置に保持する保持機構の説明図
【図８】折返ガイドに一体形成された導入部の作用を説明する斜視図
【図９】粘着テープディスペンサーに折返部形成装置を取り付けたときに発生する不具合を示し、（Ａ）は不具合発生前の状態図、（Ｂ）は不具合発生後の状態図
【図１０】折返部形成装置が傾くことを防止する機構を説明する斜視図
【図１１】折返部形成装置が傾くことを防止する機構を説明する平面図
【図１２】折返部がなくなってしまう不具合を示し、（Ａ）は不具合発生前の状態図、（Ｂ）は不具合発生後の状態図
【図１３】折返部がなくなってしまうことを防止する機構を説明する斜視図
【図１４】折返部がなくなってしまうことを防止する機構の作用を示し、（Ａ）はその機構が未使用であるときの説明図、（Ｂ）はその機構が使用中であるときの説明図
【図１５】折返部がなくなってしまうことを防止する機構を使用する手順を示し、（Ａ）〜（Ｄ）は第１〜第４手順の説明図
【図１６】押付部材の円弧形状端部の変形例を示し、（Ａ）〜（Ｃ）は第１〜第３変形例を説明する斜視図
【符号の説明】
【００２８】
Ａ  ガイドローラ
Ｂ  ガイドローラ
Ｃ  折曲ローラ
Ｄ  粘着テープ
Ｅ  折返ガイド
Ｆ  折返部
１２  軸部材
１４  第１ガイドローラ
１６  第２ガイドローラ
１８  粘着テープ
２０  折曲ローラ
２２  回動中心
２４  回動部材
２６  スライド部材
２８  弾性部材
３０  ばね
３２  折返ガイド
３２Ａ  ガイド部
３２Ｃ  導入部
３４  保持ローラ
３６  ばね
３８  粘着テープディスペンサー
４０  円板部材
４２  弾性部材
４４  押付部材
【図１】
0004420953.tif 000002
【図２】
0004420953.tif 000003
【図３】
0004420953.tif 000004
【図４】
0004420953.tif 000005
【図５】
0004420953.tif 000006
【図６】
0004420953.tif 000007
【図７】
0004420953.tif 000008
【図８】
0004420953.tif 000009
【図９】
0004420953.tif 000010
【図１０】
0004420953.tif 000011
【図１１】
0004420953.tif 000012
【図１２】
0004420953.tif 000013
【図１３】
0004420953.tif 000014
【図１４】
0004420953.tif 000015
【図１５】
0004420953.tif 000016
【図１６】
0004420953.tif 000017